(57)【要約】【課題】  簡便な動作により開封可能な組立梱包箱を提供する。【解決手段】  収容シリンダ１２の軸線方向一端側の開口部１２Ｂを閉塞する第１閉塞フラップ１０であって、第１折り線Ｌ１を介して収容シリンダ１２の軸線方向端部から連接した第１閉塞フラップ１０と、第１閉塞フラップ１０の一部を表面側から覆う第２閉塞フラップ８であって、収容シリンダ１２の軸線方向端部のうち第１折り線Ｌ１と対向する位置にある第２折り線Ｌ２を介して当該収容シリンダ１２の軸線方向端部から連接した第２閉塞フラップ８と、第１閉塞フラップ１０のうち第２閉塞フラップ８により覆われた部位に設けられた「ミシン目Ｌ３」と、第２閉塞フラップ８の先端側に設けられた係止部１１とを備え、第１閉塞フラップ１０と第２閉塞フラップ８とは、ミシン目Ｌ３より第１折り線Ｌ１と反対側にて接着されている。【選択図】  図３
0003197905.tif 000002
【実用新案登録請求の範囲】
【請求項１】
一枚のシートが折り曲げられて多角筒状に形成され、かつ、当該シートの一端側と他端側とが貼り合わされた収容シリンダであって、物品が収容される収容空間を構成する収容シリンダと、
前記収容シリンダの軸線方向一端側の開口部を閉塞する第１閉塞フラップであって、第１折り線を介して前記収容シリンダの軸線方向端部から連接した第１閉塞フラップと、
前記第１閉塞フラップの一部を表面側から覆う第２閉塞フラップであって、前記収容シリンダの軸線方向端部のうち前記第１折り線と対向する位置にある第２折り線を介して当該収容シリンダの軸線方向端部から連接した第２閉塞フラップと、
前記第１閉塞フラップのうち前記第２閉塞フラップにより覆われた部位に設けられ、前記第１閉塞フラップに一部が切断された破断線状の「ミシン目」と、
前記第２閉塞フラップの先端側に設けられた係止部であって、前記ミシン目が切断されたときに前記第１閉塞フラップの裏面側に差し込み係止可能な係止部とを備え、
前記第１閉塞フラップと前記第２閉塞フラップとは、前記ミシン目より前記第１折り線と反対側にて接着されていることを特徴とする組立梱包箱。
【請求項２】
前記ミシン目は、前記第１折り線側が凸となる「く」の字状又は「Ｌ」の字状の破断線を描いていることを特徴とする請求項１に記載の組立梱包箱。
【請求項３】
前記ミシン目が切断される前、及び前記係止部が前記第１閉塞フラップの裏面側に差し込まれたときにおいて、前記係止部の先端は、前記第１折り線より前記ミシン目側に位置することを特徴とする請求項１又は２に記載の組立梱包箱。
【考案の詳細な説明】
【技術分野】
【０００１】
本考案は、物品が収納される組立梱包箱に関する。
【背景技術】
【０００２】
例えば、特許文献１に記載の組立梱包箱では、正面板の裏面には裏板が固定されている。開封前においては、蓋板に設けられた係止フラップ（開封部）と正面板とは、破断線状のミシン目を介して繋がっている。そして、開封後においては、利用者は、係止フラップ（開封部）を裏板の内側に差し込むことにより再封できる。
【先行技術文献】
【特許文献】
【０００３】
【特許文献１】特開２０１３−２２７０３６号公報
【考案の概要】
【考案が解決しようとする課題】
【０００４】
特許文献１に記載の考案では、係止フラップ（開封部）が正面板に繋がっている。このため、特許文献１に記載の梱包箱を利用者が開封する際には、少なくとも以下の２つの動作を必要とする。
【０００５】
すなわち、先ず、利用者は、（１）正面板に設けられた透孔から係止フラップの裏面側に指を挿入する必要がある。次に、利用者は、（２）外側に係止フラップを引き上げるようにしてミシン目を破断させる必要がある。このため、特許文献１に記載の梱包箱は、開封作業性が良いとは言い難い。
【０００６】
本考案は、上記点に鑑み、簡便な動作により開封可能な組立梱包箱を提供することを目的とする。
【課題を解決するための手段】
【０００７】
本願では、一枚のシート（Ｓ）が折り曲げられて多角筒状に形成され、かつ、当該シート（Ｓ）の一端側と他端側とが貼り合わされた収容シリンダ（１２）であって、物品が収容される収容空間（１２Ａ）を構成する収容シリンダ（１２）と、収容シリンダ（１２）の軸線方向一端側の開口部（１２Ｂ）を閉塞する第１閉塞フラップ（１０）であって、第１折り線（Ｌ１）を介して収容シリンダ（１２）の軸線方向端部から連接した第１閉塞フラップ（１０）と、第１閉塞フラップ（１０）の一部を表面側から覆う第２閉塞フラップ（８）であって、収容シリンダ（１２）の軸線方向端部のうち第１折り線（Ｌ１）と対向する位置にある第２折り線（Ｌ２）を介して当該収容シリンダ（１２）の軸線方向端部から連接した第２閉塞フラップ（８）と、第１閉塞フラップ（１０）のうち第２閉塞フラップ（８）により覆われた部位に設けられ、第１閉塞フラップ（１０）に一部が切断された破断線状の「ミシン目（Ｌ３）」と、第２閉塞フラップ（８）の先端側に設けられた係止部（１１）であって、ミシン目（Ｌ３）が切断されたときに第１閉塞フラップ（１０）の裏面側に差し込み係止可能な係止部（１１）とを備え、第１閉塞フラップ（１０）と第２閉塞フラップ（８）とは、ミシン目（Ｌ３）より第１折り線（Ｌ１）と反対側にて接着されている。
【０００８】
これにより、本考案では、第２閉塞フラップ（８）が引き上げられると、ミシン目（Ｌ３）が破断されて組立梱包箱が開封される。つまり、利用者は、第２閉塞フラップ（８）を引き上げる行為のみで組立梱包箱を開封できる。
【０００９】
そして、係止部（１１）が第２閉塞フラップ（８）の先端側に設けられ、かつ、係止部（１１）は、第１閉塞フラップ（１０）に接着されていないので、利用者は、係止部（１１）に指を掛けるようにして容易に第２閉塞フラップ（８）を引き上げることができる。
【００１０】
また、ミシン目（Ｌ３）は第２閉塞フラップ（８）により覆われているので、組立梱包箱が開封される前、及び開封後に係止部（１１）を第１閉塞フラップ（１０）の裏面側に差し込んで再封した場合であっても、外観にミシン目（Ｌ３）が表れない。したがって、組立梱包箱の外観意匠性を向上させることができる。
【００１１】
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【００１２】
【図１】組立梱包箱の外観図である。
【図２】組立梱包箱の展開図である。
【図３】組立梱包箱の開口部１２Ｂ側を示す図である。
【図４】組立梱包箱の再封状態を示す図である。
【図５】組立梱包箱の開封状態を示す図である。
【考案を実施するための形態】
【００１３】
以下に説明する「考案の実施形態」は実施形態の一例を示すものである。つまり、実用新案登録請求の範囲に記載された考案特定事項等は、下記の実施形態に示された具体的手段や構造等に限定されるものではない。
【００１４】
本実施形態は、薬品や菓子類等の物品を収納可能な組立梱包箱に本考案を適用したものである。各図に付された方向を示す矢印等は、各図相互の関係を理解し易くするために記載したものである。本考案は、各図に付された方向に限定されるものではない。
【００１５】
少なくとも符号を付して説明した部材又は部位は、「複数」や「２つ以上」等の断りをした場合を除き、少なくとも１つ設けられている。以下、本考案の実施形態を図面と共に説明する。
【００１６】
（第１実施形態）
１．組立梱包箱の概要
図１は組立梱包箱の外観図である。収容シリンダ１２は、物品が収容される収容空間１２Ａを構成する。当該収容シリンダ１２は、図２に示す一枚のシートＳが折り曲げられ、当該シートＳの一端側Ｓ１と他端側Ｓ２とが貼り合わされ多角筒状（本実施形態では四角筒状）に形成されたものである。
【００１７】
収容シリンダ１２は多角筒状に形成されたものである。このため、収容シリンダ１２の軸線方向両端側（図１の上側及び下側）には、多角状（本実施形態では四角状）の開口部が形成される。
【００１８】
それらの開口部はフラップＦ１〜Ｆ８により閉塞される。フラップＦ１〜Ｆ８は、収容シリンダ１２の筒面を構成する壁面１〜４それぞれから連接して延びる。なお、本実施形態では、それら開口部を閉塞するための構造は同一構造である。したがって、以下、収容シリンダ１２の軸線方向一端側（図１の上側）の開口部１２Ｂを閉塞する構造を例に当該閉塞構造を説明する。
【００１９】
２．閉塞構造
開口部１２Ｂは、図３に示すように、第１閉塞フラップ１０及び第２閉塞フラップ８により閉塞される。第１閉塞フラップ１０は、図２に示すように、第１折り線Ｌ１を介して収容シリンダ１２の軸線方向端部（本実施形態では、壁面１の端部）から連接した部位である。
【００２０】
第２閉塞フラップ８は、図３に示すように、第１閉塞フラップ１０の一部を表面側から覆う部位である。なお、「第１閉塞フラップ１０の一部を表面側から覆う」とは、第１閉塞フラップ１０を挟んで収容空間１２Ａと反対側から第１閉塞フラップ１０の一部を覆うことをいう。
【００２１】
第２閉塞フラップ８は、収容シリンダ１２の軸線方向端部のうち第１折り線Ｌ１と対向する位置にある第２折り線Ｌ２を介して当該収容シリンダ１２の軸線方向端部から連接している。つまり、第２閉塞フラップ８は、図２に示すように、第２折り線Ｌ２を介して壁面３から連接した部位である。
【００２２】
第１閉塞フラップ１０のうち第２閉塞フラップ８により覆われた部位には、図３に示すように、「ミシン目Ｌ３」が設けられている。ミシン目Ｌ３は、図２に示すように、第１閉塞フラップ１０に一部が切断された破断線状の切断部である。なお、本実施形態に係るミシン目Ｌ３は、第１折り線Ｌ１側が凸となる「く」の字状又は「Ｌ」の字状の破断線を描いている。
【００２３】
第２閉塞フラップ８の先端側には係止部１１が設けられている。係止部１１は、図４に示すように、ミシン目Ｌ３が切断されたときに第１閉塞フラップ１０の裏面側に差し込み係止可能な部位である。
【００２４】
このため、ミシン目Ｌ３が切断される前、及び係止部１１が第１閉塞フラップ１０の裏面側に差し込まれたときにおいて、係止部１１の先端は、第１折り線Ｌ１よりミシン目Ｌ３側に位置する（図３及び図４参照）。そして、第１閉塞フラップ１０と第２閉塞フラップ８とは、ミシン目Ｌ３より第１折り線Ｌ１と反対側、つまり第２折り線Ｌ２側にて接着されている。
【００２５】
３．開封及び再封
第１閉塞フラップ１０と第２閉塞フラップ８とが接着されているので、ミシン目Ｌ３が切断される前は、開口部１２Ｂが閉塞された状態（開封前）となる（図３参照）。
【００２６】
利用者が、係止部１１に指を掛ける等して第２閉塞フラップ８を第１閉塞フラップ１０から離間させるように揺動させる（開く）と、ミシン目Ｌ３は切断されて開口部１２Ｂ（組立梱包箱）が開封された状態となる（図５参照）。
【００２７】
なお、ミシン目Ｌ３が切断された開封状態では、図５に示すように、第１閉塞フラップ１０のうちミシン目Ｌ３より先端側（図２の部位６）は第２閉塞フラップ８と一体的に揺動する。第１閉塞フラップ１０のうちミシン目Ｌ３より第１折り線Ｌ１側（図２の部位５（以下、被係止フラップ５という。））は、第１折り線Ｌ１を中心として揺動可能な状態となる。
【００２８】
そして、利用者は、開口部１２Ｂを再封する際には、係止部１１を第１閉塞フラップ１０の裏面側、つまり被係止フラップ５の裏面側に差し込む。これにより、係止部１１が被係止フラップ５に係止された状態となり開口部１２Ｂの閉塞状態を保持可能となる。
【００２９】
４．本実施形態に係る組立梱包箱の特徴
本実施形態では、第２閉塞フラップ８が引き上げられると、上述したように、ミシン目Ｌ３が破断されて組立梱包箱が開封される。つまり、利用者は、第２閉塞フラップ８を引き上げる行為のみで組立梱包箱を開封できる。
【００３０】
そして、係止部１１が第２閉塞フラップ８の先端側に設けられ、かつ、係止部１１は、第１閉塞フラップ１０に接着されていないので、利用者は、係止部１１に指を掛けるようにして容易に第２閉塞フラップ８を引き上げることができる。
【００３１】
また、ミシン目Ｌ３は第２閉塞フラップ８により覆われているので、組立梱包箱が開封される前、及び開封後に係止部１１を第１閉塞フラップ１０の裏面側に差し込んで再封した場合であっても、外観にミシン目Ｌ３が表れない。したがって、組立梱包箱の外観意匠性を向上させることができる。
【００３２】
本実施形態では、ミシン目Ｌ３は第１折り線Ｌ１側が凸となる「く」の字状又は「Ｌ」の字状の破断線を描いているので、被係止フラップ５の先端外縁が「く」の字状又は「Ｌ」の字状となる。したがって、係止部１１を容易に被係止フラップ５の裏面側に差し込むことが可能となる。
【００３３】
（その他の実施形態）
上述の実施形態に係るミシン目Ｌ３は、第１折り線Ｌ１側が凸となる「く」の字状又は「Ｌ」の字状の破断線を描いていたが、本発明はこれに限定されるものではない。
【００３４】
また、本考案は、実用新案登録請求の範囲に記載された考案の趣旨に合致するものであればよく、上述の実施形態に限定されるものではない。
【符号の説明】
【００３５】
１… 壁面
３… 壁面
５… 被係止フラップ
８… 第２閉塞フラップ
１０… 第１閉塞フラップ
１１… 係止部
１２… 収容シリンダ
１２Ａ… 収容空間
１２Ｂ… 開口部
【図１】
0003197905.tif 000003
【図２】
0003197905.tif 000004
【図３】
0003197905.tif 000005
【図４】
0003197905.tif 000006
【図５】
0003197905.tif 000007